(57)【要約】【課題】包装箱への被包装物の再梱包を容易に行なえるようにする。【解決手段】段ボール板を材料として作られ、２組の対向側板２，３と、この対向側板２，３の下端に連設された底板形成用フラップ４，５と、この対向側板２，３の上端に連設された上蓋形成用フラップ６，７とを備えてなる平面形状が矩形の包装箱１であって、２組の対向側板２，３の上端に連設されている上蓋形成用フラップ６，７の内、１枚の側板２の上端に連設されて先に折り曲げられる上蓋形成用フラップ６を罫線１２で２つ折り可能とし、この上蓋形成用フラップ６の罫線１２よりも先端側における板部６ｂの表面に梱包順序表示部１４を印刷して設けた。【選択図】　　　　図３
2004123195.tif 000002
【特許請求の範囲】
【請求項１】
段ボール板を材料として作られ、２組の対向側板と、この対向側板の下端に連設された底板形成用フラップと、この対向側板の上端に連設された上蓋形成用フラップとを備えてなる平面形状が矩形の包装箱であって、２組の対向側板の上端に連設されている上蓋形成用フラップの内、１枚の側板の上端に連設されて先に折り曲げられる上蓋形成用フラップを罫線で２つ折り可能とし、この上蓋形成用フラップの罫線よりも先端側における板部の表面に梱包順序表示部を印刷して設けてなることを特徴とする包装箱。
【発明の詳細な説明】
【０００１】
【発明の属する技術分野】
本発明は、例えば縦型のＤＶＤプレーヤーなどの被包装物を横に寝かせた状態で収納する段ボール板製の包装箱に関するものである。
【０００２】
【従来の技術】
従来、店頭で展示された家電製品などの製品を再梱包する場合、始めの梱包状態に戻さなければならないが、製品形状が複雑な場合、梱包手順が判らなくなり、再梱包に手間がかかるという問題があった。
【０００３】
例えば、段ボール板製の包装箱を用いた包装構造の一例として、実開平５−６５８７６号公報に開示されているように、複数の緩衝部材同士を凹所と凸状の連結部との嵌合により結合させるとともに製品を複数の緩衝部材の凹所に嵌め込み保護するようにしたものが知られている。
【０００４】
【特許文献１】
実開平５−６５８７６号公報
【０００５】
【発明が解決しようとする課題】
しかしながら、上記実開平５−６５８７６号公報に開示されているものは、単に緩衝部材と嵌合との嵌め合わせだけでなく、複数の緩衝部材同士の結合作業が必要で、梱包作業の途中で判らなくなったりし、再梱包に手間がかかるという問題があった。
【０００６】
本発明はこのような課題を解決するもので、包装箱への被包装物の再梱包を容易に行なえるようにすることを目的とするものである。
【０００７】
【課題を解決するための手段】
この課題を解決するために本発明は、段ボール板を材料として作られ、２組の対向側板と、この対向側板の下端に連設された底板形成用フラップと、この対向側板の上端に連設された上蓋形成用フラップとを備えてなる平面形状が矩形の包装箱であって、２組の対向側板の上端に連設されている上蓋形成用フラップの内、１枚の側板の上端に連設されて先に折り曲げられる上蓋形成用フラップを罫線で２つ折り可能とし、この上蓋形成用フラップの罫線よりも先端側における板部の表面に梱包順序表示部を印刷して設けてなることを要旨とするものである。
【０００８】
この構成により、２組の対向側板の上端に連設されている上蓋形成用フラップの内、１枚の側板の上端に連設されて先に折り曲げられる上蓋形成用フラップを罫線で２つ折りすることにより梱包作業時に外側に折り曲げられて開かれている状態において上側から見える板部の表面に印刷されている梱包順序表示部を目視でき、その状態で包装箱の中に被包装物を発泡スチロール製の緩衝材により保護した状態で収納する作業を容易に行なうことができる。
【０００９】
【発明の実施の形態】
以下、本発明の一実施の形態について、図面に基づいて説明する。
【００１０】
図１〜図７において、１は段ボール板を材料として作られ平面形状が長方形（もしくは正方形）などの矩形の包装箱であって、２組の対向側板２，２、３，３と、この対向側板２，２、３，３の下端に連設された底板形成用フラップ４，４、５，５と、この対向側板２，２、３，３の上端に連設された上蓋形成用フラップ６，６、７，７とを備えている。具体的には、２組の対向側板２，２、３，３の内、短辺側の対向側板２，２の下端に連設された小さな底板形成用フラップ４，４は先に折り曲げられ、続いて２組の対向側板２，２、３，３の内、長辺側の対向側板３，３の下端に連設されて先端が互いに突き合わされるように閉じられる底板形成用フラップ５，５を折り曲げることによって底板形成用フラップ４，４と底板形成用フラップ５，５とで２重構造の底板が形成されるようになっている。なお、前記底板形成用フラップ５，５の突き合わせ部は封緘テープ８により止められる。また、上蓋形成用フラップ６，６、７，７については、２組の対向側板２，２、３，３の内、短辺側の対向側板２，２の上端に連設された小さな上蓋形成用フラップ６，６は先に折り曲げられ、続いて２組の対向側板２，２、３，３の内、長辺側の対向側板３，３の上端に連設され包装箱１の天面積と同じ面積の大きさの上蓋形成用フラップ７，７を折り曲げて重ねることによって上蓋形成用フラップ６，６と上蓋形成用フラップ７，７とで３重構造の上蓋が形成されるようになっている。なお、前記上蓋形成用フラップ７，７の内、上側に位置する上蓋形成用フラップ７は遊端部が長辺側の側板３に対し封緘テープ９により止められる。ところで、上蓋が閉じられる前に包装箱１の中に被包装物１０が発泡スチロール製の緩衝材１１により保護された状態で収納される。
【００１１】
本実施の形態では短辺側の対向側板２，２の上端に連設された小さな上蓋形成用フラップ６，６の内、一方の上蓋形成用フラップ６が２つ折り可能なように、短辺側の側板２との連設部と一方の上蓋形成用フラップ６の先端部との中間部において一方の上蓋形成用フラップ６の幅方向両端部に罫線１２を設け、この罫線１２，１２間を繋ぐように前記側板２との連設線と罫線１２との間の一方の上蓋形成用フラップ６の板部６ａに凵状の切り込み部１３を形成してある。このように、一方の上蓋形成用フラップ６に罫線１２，１２と切り込み部１３を形成することによって、図３に示すように一方の上蓋形成用フラップ６が罫線１２，１２で折り曲げられた状態において罫線１２，１２よりも先端側の内側に位置する板部６ｂには前記切り込み部１３の範囲内で罫線１２，１２よりも外方に突出する突出片６ｃが連設されていることになり、この板部６ｂと突出片６ｃの表面に包装箱１の製造工程で予め印刷されている梱包順序が目視できるようになっている。１４は前記板部６ｂと突出片６ｂの表面に印刷されている梱包順序表示部である。
【００１２】
以上のように先に折り曲げられる前記一方の上蓋形成用フラップ６を罫線１２，１２で折り曲げることにより梱包作業時に外側に折り曲げられて開かれている状態において上側から見える前記板部６ｂと突出片６ｃの表面に印刷されている梱包順序表示部１４を目視でき、その状態で包装箱１の中に被包装物１０を発泡スチロール製の緩衝材１１により保護した状態で収納する作業を行なうことができる。
【００１３】
なお、梱包順序表示部１４を前記板部６ｂと突出片６ｃの表面（外面）に印刷してあるのは、通常包装箱１への印刷は外面になされるからである。前記一方の上蓋形成用フラップ６を罫線１２，１２で折り曲げずにその上蓋形成用フラップ６の内面に梱包順序表示部を印刷することも考えられるが、上蓋形成用フラップ６の内面に梱包順序表示部を別個に印刷すると印刷コストがアップするという問題があるため好ましくない。
【００１４】
【発明の効果】
以上のように本発明によれば、２組の対向側板の上端に連設されている上蓋形成用フラップの内、１枚の側板の上端に連設されて先に折り曲げられる上蓋形成用フラップを罫線で２つ折りすることにより梱包作業時に外側に折り曲げられて開かれている状態において上側から見える板部の表面に印刷されている梱包順序表示部を目視でき、その状態で包装箱の中に被包装物を発泡スチロール製の緩衝材により保護した状態で収納する作業を容易に行なうことができる。
【図面の簡単な説明】
【図１】本発明の一実施の形態における包装箱の展開図である。
【図２】同包装箱に被包装物を収納する前の状態を示す全体斜視図である。
【図３】同包装箱に被包装物を収納する途中の状態を示す斜視図である。
【図４】同包装箱に被包装物を収納した状態を示す斜視図である。
【図５】図２の要部拡大図である。
【図６】同包装箱の上蓋形成用フラップを閉じる途中の状態を示す斜視図である。
【図７】同包装箱の上蓋形成用フラップを閉じた梱包状態を示す斜視図である。
【符号の説明】
１　　　　　　包装箱
２，３　　　　側板
４，５　　　　底板形成用フラップ
６，７　　　　上蓋形成用フラップ
６ａ，６ｂ　　板部
６ｃ　　　　　突出片
８，９　　　　封緘テープ
１０　　　　　　被包装物
１１　　　　　　緩衝材
１２　　　　　　罫線
１３　　　　　　切り込み部
１４　　　　　　梱包順序表示部
【図１】
2004123195.tif 000003
【図２】
2004123195.tif 000004
【図３】
2004123195.tif 000005
【図４】
2004123195.tif 000006
【図５】
2004123195.tif 000007
【図６】
2004123195.tif 000008
【図７】
2004123195.tif 000009